(57)【特許請求の範囲】
【請求項１】
静止部と、上下に延びる回転軸を中心に回転する回転部とを有するモータと、
複数の羽根を有し、前記回転部とともに回転するインペラと、
前記モータおよび前記インペラを内部に収容するハウジングと、
前記モータと接続され、径方向外側に向かって延びる、１または複数のリード線と、
板状のガイド板と、
を有し、
前記ハウジングは、
前記回転軸に沿って延び、前記インペラの少なくとも一部を内部に収容する筒状の筒
状部と、
前記筒状部の少なくとも一部から径方向外側へ向けて突出するフランジ部と、
前記筒状部の少なくとも一部に設けられたリード線引出口と、
前記リード線引出口と連通し、前記フランジ部を軸方向に貫通する縦溝と、
を有し、
前記ガイド板は、前記縦溝内に配置され、
前記複数のリード線の少なくとも一部は、前記縦溝内の前記ガイド板よりも径方向内側
に収容され、
前記ガイド板は、径方向内側へ向けて突出する突出部を有し、
前記突出部は、前記リード線引出口に嵌まる、ファンモータ。
【請求項２】
請求項１に記載のファンモータであって、
前記ガイド板は、周方向に突出する凸部を有し、
前記フランジ部は、前記縦溝の周囲に、周方向に凹む凹部を有し、
前記凸部は、前記凹部に嵌まるファンモータ。
【請求項３】
請求項１に記載のファンモータであって、
前記ガイド板は、周方向に凹む凹部を有し、
前記フランジ部は、前記縦溝の周囲に、周方向に突出する凸部を有し、
前記凹部に、前記凸部が嵌まるファンモータ。
【請求項４】
請求項１に記載のファンモータであって、
前記ガイド板は、前記縦溝内において、圧入、接着、または溶着により固定されているファンモータ。
【請求項５】
請求項１に記載のファンモータであって、
前記突出部は、前記ガイド板の周方向の両端部のうち、前記回転軸に近い端部付近から
径方向内側へ突出するファンモータ。
【請求項６】
請求項１に記載のファンモータであって、
前記突出部は、前記ガイド板の周方向の中央部付近から径方向内側へ突出するファンモータ。
【請求項７】
請求項１に記載のファンモータであって、
前記突出部は、前記ガイド板の周方向の両端部のうち、前記回転軸から離れた端部付近から径方向内側へ突出するファンモータ。
【請求項８】
請求項１から請求項７までのいずれかに記載のファンモータであって、
前記縦溝の周方向の幅は、前記リード線引出口の周方向の幅よりも大きいファンモータ。
【請求項９】
請求項１から請求項８までのいずれかに記載のファンモータであって、
前記リード線引出口は、
前記筒状部の軸方向の端部から軸方向に延びる引出口縦部と、
前記引出口縦部の少なくとも一部から周方向に延びる引出口横部と、
を有し、
前記引出口縦部と前記引出口横部とが互いに直交、または交差するファンモータ。
【請求項１０】
請求項１から請求項９までのいずれかに記載のファンモータであって、
前記筒状部は、周方向に突出する壁部を有し、
前記ガイド板は、前記壁部に向かって突出する爪部を有し、
前記爪部は、前記壁部にフックされているファンモータ。
【請求項１１】
請求項１０に記載のファンモータであって、
前記壁部は、前記壁部を貫通する貫通孔をさらに有し、
前記爪部は、前記貫通孔にフックされているファンモータ。
【請求項１２】
請求項１０に記載のファンモータであって、
前記爪部は、前記壁部の軸方向の端部にフックされているファンモータ。
【請求項１３】
請求項１０から請求項１２までのいずれかに記載のファンモータであって、
前記爪部は、前記ガイド板よりも周方向の幅が狭く、
前記爪部は、径方向内側に突出する補強部を有するファンモータ。
【請求項１４】
請求項１から請求項１３までのいずれかに記載のファンモータであって、
前記ガイド板の径方向外側の面の少なくとも一部は、前記ハウジングの径方向外側の空
間に露出しているファンモータ。
【請求項１５】
請求項１から請求項１３までのいずれかに記載のファンモータであって、
前記ガイド板の径方向外側の面は、前記ハウジングに覆われているファンモータ。
【発明の詳細な説明】
【技術分野】
【０００１】
本発明は、ファンモータに関する。
【背景技術】
【０００２】
従来、モータの駆動力を利用してインペラを回転させ、軸方向に気流を発生させる軸流式のファンモータが知られている。軸流式のファンモータは、例えば、家電製品、ＯＡ機器、輸送機器等に搭載され、電子部品の冷却、または機器筐体内の気体の循環等の目的で使用されている。また、電子機器が多数設置されるサーバルーム内の気体の循環に、ファンモータが用いられる場合もある。従来のファンモータについては、例えば中国特許出願公開第１０３５１１３４５号明細書に記載されている。
【０００３】
中国特許出願公開第１０３５１１３４５号明細書に記載のファンモータは、モータおよびインペラを内部に収容するフレーム構造を有する。フレームに設けられた第１溝と、凸型ブロックに設けられた第２溝を用いて、モータに接続された電源ワイヤを保持しつつ、多様な経路配列を可能とする。このため、様々な機器に適応させることができる。
【特許文献１】中国特許出願公開第１０３５１１３４５号公報
【発明の概要】
【発明が解決しようとする課題】
【０００４】
しかし、中国特許出願公開第１０３５１１３４５号明細書の構造においては、フレームに引っ掛けられた電源ワイヤが、フレームのフランジ部と凸型ブロックとの間の隙間から径方向外側に外れる虞がある。その場合、ファンモータが取り付けられている機器等と電源ワイヤとが干渉し、損傷に至る可能性がある。
【０００５】
本発明は、モータおよびインペラを内部に収容するハウジングにおけるリード線引出口付近の構造を改善し、モータから引き出されたリード線の外れまたは撓みを抑制できるファンモータを提供することを目的とする。
【課題を解決するための手段】
【０００６】
本発明の例示的な第１実施形態は、静止部と、上下に延びる回転軸を中心に回転する回転部とを有するモータと、複数の羽根を有し、前記回転部とともに回転するインペラと、前記モータおよび前記インペラを内部に収容するハウジングと、前記モータと接続され、径方向外側に向かって延びる、１または複数のリード線と、板状のガイド板と、を有し、前記ハウジングは、前記回転軸に沿って延び、前記インペラの少なくとも一部を内部に収容する筒状の筒状部と、前記筒状部の少なくとも一部から径方向外側へ向けて突出するフランジ部と、前記筒状部の少なくとも一部に設けられたリード線引出口と、前記リード線引出口と連通し、前記フランジ部を軸方向に貫通する縦溝と、を有し、前記ガイド板は、前記縦溝内に配置され、前記複数のリード線の少なくとも一部は、前記縦溝内の前記ガイド板よりも径方向内側に収容され、前記ガイド板は、径方向内側へ向けて突出する突出部を有し、前記突出部は、前記リード線引出口に嵌まるファンモータ。
【発明の効果】
【０００７】
本発明の第１実施形態によれば、ファンモータにおいて、モータから引き出されたリード線をハウジングに保持しやすい。これにより、ハウジングから外側へのリード線の外れまたは撓みを抑制できる。
【図面の簡単な説明】
【０００８】
【図１】図１は、本実施形態に係るファンモータの斜視図である。
【図２】図２は、本実施形態に係るファンモータの縦断面図である。
【図３】図３は、本実施形態に係るファンモータの部分斜視図である。
【図４】図４は、本実施形態に係るファンモータの部分斜視図である。
【図５】図５は、本実施形態に係るガイド板の斜視図である。
【図６】図６は、本実施形態に係るガイド板の斜視図である。
【図７】図７は、本実施形態に係るファンモータの部分斜視図である。
【図８】図８は、本実施形態に係るファンモータの下面図である。
【図９】図９は、本実施形態に係るファンモータの側面図である。
【図１０】図１０は、変形例に係るファンモータの部分下面図である。
【図１１】図１１は、変形例に係るファンモータの部分下面図である。
【図１２】図１２は、変形例に係るファンモータの部分下面図である。
【発明を実施するための形態】
【０００９】
以下、本発明の例示的な実施形態について、図面を参照しつつ説明する。なお、以下の説明では、ファンモータの回転軸と平行な方向を「軸方向」、ファンモータの回転軸に直交する方向を「径方向」、ファンモータの回転軸を中心とする円弧に沿う方向を「周方向」、とそれぞれ称する。
【００１０】
また、以下の説明では、軸方向において、空気が取り込まれる側（図１における上側）を「吸気側」または単に「上側」と呼び、空気が排出される側である（図１における下側）を「排気側」または単に「下側」と呼ぶ。ただし、この「上側」および「下側」は、あくまで説明の便宜のための表現であって、重力方向とは無関係である。本発明に係るファンモータは、どのような向きで使用されてもよい。
【００１１】
＜１．第１実施形態＞
＜１−１．ファンモータ１の全体構成＞
図１は、本実施形態に係るファンモータ１の斜視図である。図２は、本実施形態に係るファンモータ１の縦断面図である。
【００１２】
このファンモータ１は、例えば、冷蔵庫などの家電製品、または複数の電子機器が配置されたサーバルームなどの室内に、冷却用の空気流を供給する装置として用いられる。このファンモータ１は、単独で使用されてもよく、あるいは、複数台のファンモータ１を組み合わせて同時に使用してもよい。例えば、１つのサーバルームに対して、複数台のファンモータ１を設置して、それらを同時に駆動させてもよい。
【００１３】
図２に示すように、ファンモータ１は、モータ２と、インペラ３と、ハウジング４を有する。また、ファンモータ１は、後述の複数のリード線６０および板状のガイド板８３を有する。ファンモータ１は、回転軸９に沿って下向きに空気流を発生させる軸流式のファンである。ファンモータ１を駆動させると、吸気側であるファンモータ１の上側から空気が取り込まれ、ハウジング４内の風洞１０を通って、排気側であるファンモータ１の下側へ向けて空気が送り出される。
【００１４】
モータ２は、静止部２１と、回転部２２とを有する。回転部２２は、静止部２１に対して回転可能に支持される。また、回転部２２は、上下に延びる回転軸９を中心として回転する。
【００１５】
静止部２１は、ベース部２１１と、ステータ２１２と、回路基板６５と、軸受ホルダ２１３とを有する。ベース部２１１は、ステータ２１２よりも下側に配置され、軸受ホルダ２１３の周囲から径方向外側に向かって拡がる円板状の部材である。ステータ２１２は、軸受ホルダ２１３の外周面に固定された電機子である。ステータ２１２は、ステータコア５１と、複数のコイル５２とを有する。ステータコア５１は、径方向に延びる複数のティースを有する。複数のコイル５２は、それぞれ、ティースの周囲に巻かれた導線により形成される。
【００１６】
軸受ホルダ２１３は、回転軸９に沿って延びる円筒状の部材である。軸受ホルダ２１３の下部はベース部２１１の内周面に、例えば接着剤で固定される。軸受ホルダ２１３の径方向内側には、軸受部２１４が配置される。軸受部２１４には、例えば、ボールベアリングが用いられる。軸受部２１４の外輪は、軸受ホルダ２１３の内周面に固定される。軸受部２１４の内輪は、後述するシャフト２２１と互いに固定され、シャフト２２１を支持する。これにより、シャフト２２１が、静止部２１に対して回転可能に支持される。ただし、モータ２は、ボールベアリングに代えて、すべり軸受、流体軸受等の他の方式の軸受部を有していてもよい。
【００１７】
回転部２２は、シャフト２２１と、ロータホルダ２２２と、マグネット２２３とを有する。シャフト２２１は、回転軸９に沿って配置される柱状の部材である。シャフト２２１は、軸受部２１４によって回転可能に支持される。モータの駆動時には、シャフト２２１は、回転軸９を中心として回転する。
【００１８】
ロータホルダ２２２は、回転軸９に対して略垂直に拡がる円板状のロータ蓋部５３と、ロータ蓋部５３から排気側へ延びるロータ筒部５４とを有する有蓋円筒状の部材である。ロータホルダ２２２の材料には、例えば、金属または樹脂が用いられる。ロータ蓋部５３の中央部は、シャフト２２１の上端部に、環状部材３４を介して固定される。これにより、ロータホルダ２２２は、シャフト２２１とともに回転する。ロータ蓋部５３は、静止部２１の吸気側に配置される。ロータ筒部５４は、ステータ２１２の径方向外側に配置される。マグネット２２３は、ロータ筒部５４の内周面に固定される。
【００１９】
インペラ３は、カップ部３１と複数の羽根３２とを有する。カップ部３１は、ロータホルダ２２２の上面および外周面を覆う。各羽根３２は、カップ部３１の外周面から径方向外側へ拡がる。インペラ３は、回転部２２とともに回転する。複数の羽根３２は、周方向に略等間隔に配列される。なお、羽根３２の数は、特に制限されない。
【００２０】
ハウジング４は、モータ２およびインペラ３を内部に収容する筐体である。ハウジング４は、筒状部６１と、複数の支持部６３と、後述の、フランジ部７３、リード線引出口８１、および縦溝８２とを有する。
【００２１】
筒状部６１は、回転軸９に沿って延びる筒状の部位である。筒状部６１は、インペラ３の径方向外側において、略円筒状に延びる。筒状部６１は、インペラ３の少なくとも一部を内部に収容する。
【００２２】
支持部６３は、筒状部６１の内面の少なくとも一部から径方向内側へ延び、静止部２１の少なくとも一部と直接的または間接的に接続される。これにより、モータ２の静止部２１の、ハウジング４に対する位置が固定される。なお、本実施形態において、支持部６３および筒状部６１は、樹脂の射出成形により単一の部材として形成されている。ただし、これらは別部材であってもよい。
【００２３】
後述のフランジ部７３は、筒状部６１の上端および下端付近の少なくとも一部から径方向外側へ向けて突出する。本実施形態では、周方向の４箇所にフランジ部７３が設けられている。フランジ部７３がねじ止めされることにより、ファンモータ１が家電製品等の枠体に取り付けられる。ただし、フランジ部７３は、筒状部６１の上端および下端付近のいずれか一方のみに設けられてもよい。
【００２４】
＜１−２．リード線引出口８１付近のハウジング４の構造について＞
続いて、ファンモータ１のハウジング４におけるリード線引出口８１付近の構造について説明する。図３は、ハウジング４におけるリード線引出口８１付近を、排気側から見た部分斜視図である。
【００２５】
図３に示すとおり、ファンモータ１の筒状部６１の下端付近には、少なくとも一部に切欠状のリード線引出口８１が設けられている。リード線引出口８１は、筒状部６１の軸方向下端部から軸方向上向きに延びる引出口縦部８１１と、引出口縦部８１１の少なくとも一部から周方向に延びる引出口横部８１２とを有している。引出口縦部８１１と引出口横部８１２とは、互いに直交、または交差する。なお、図３において、リード線引出口８１は径方向内側から外側方向に見て「Ｌ字」の切欠状になっているが、これに限定されない。例えば、引出口横部８１２は、周方向に対して傾斜を有してもよく、さらに引出口縦部８１１は、軸方向に対して傾斜を有してもよい。
【００２６】
また、図３において引出口横部８１２は引出口縦部８１１の上端部分と交わっているが、これに限定されない。例えば、引出口縦部８１１の軸方向の中間に引出口横部８１２が交わってもよい。
【００２７】
なお、後述のとおり、モータ２から径方向外側に引き出された、１または複数のリード線６０は、リード線引出口８１を通る。その際、このように引出口縦部８１１よりも周方向の幅が広い引出口横部８１２を有することによって、リード線引出口８１に通されたリード線６０を保持しやすくなる。また、引出口横部８１２内にリード線６０を通すことによって、リード線６０の下側への抜けを抑制できる。
【００２８】
さらに、ハウジング４には、リード線引出口８１に連通し、フランジ部７３を軸方向に貫通する、縦溝８２が設けられている。後述のとおり、縦溝８２にはガイド板８３が配置される。なお、縦溝８２の周方向の幅は、リード線引出口８１の周方向の幅よりも大きいことが望ましい。これにより、ガイド板８３が挿入された後、縦溝８２におけるガイド板８３よりも径方向内側の部分に、リード線６０を収容できる十分な容積を確保できる。
【００２９】
図４は、ハウジング４におけるリード線引出口８１にリード線６０を通した状態を、排気側から見た部分斜視図である。リード線６０は、モータ２の回路基板６５に電気的に接続される。図４に示すとおり、リード線６０は、ハウジング４における切欠状のリード線引出口８１に通された後、例えば、下側に曲げられる。なお、リード線６０をリード線引出口８１に通す際には、まず、引出口縦部８１１の下端からリード線６０を通し、その後、引出口横部８１２内へ、リード線６０を周方向に横移動させる。これにより、配線の作業性が向上し、さらにリード線６０を保持しやすくなる。
【００３０】
＜１−３．ガイド板８３の構造について＞
続いて、ガイド板８３の構造について説明する。図５は、本実施形態に係るガイド板８３の径方向外側の面から見た斜視図である。図６は、ガイド板８３の径方向内側の面から見た斜視図である。
【００３１】
図５に示すとおり、ガイド板８３は、板状の本体部８３０と、一対の凸部８３１と、爪部８３２とを有する。一対の凸部８３１は、本体部８３０の周方向の両端部から、周方向に突出する。爪部８３２は、本体部８３０の上端部に設けられる。爪部８３２は、本体部８３０よりも周方向の幅が狭い。さらに、図６に示すとおり、本体部８３０の径方向内側の面の下部には、径方向内側に向かって突出する突出部８３３が設けられている。
【００３２】
図７は、本実施形態に係る縦溝８２にガイド板８３を挿入した状態のファンモータ１を、排気側から見た部分斜視図である。また、図８および図９は、同様に縦溝８２にガイド板８３を挿入した状態のファンモータ１の下面図および側面図である。ただし、図７〜図９においてリード線６０の記載は省略している。
【００３３】
ガイド板８３は、ハウジング４の下側から、縦溝８２内に挿入される。ガイド板８３の左右の凸部８３１は、周方向の両側に突出している。また、図３に示すとおり、ハウジング４は、フランジ部７３における縦溝８２の周囲の側壁８２３の下端に、周方向に凹む凹部８２４を有している。ガイド板８３が縦溝８２内に挿入された際、ガイド板８３の凸部８３１は、凹部８２４に嵌まる。これにより、ガイド板８３の径方向の移動が制限される。
【００３４】
なお、本実施形態において、凸部８３１および凹部８２４は、各々２箇所ずつ設けられている。しかし、凸部８３１および凹部８２４の数は、これに限定されない。例えば、ガイド板８３の側面の周方向片側のみに、凸部が設けられていてもよい。また、縦溝８２の周囲の側壁８２３の周方向片側のみに、凹部が設けられていてもよい。
【００３５】
図３に戻る。筒状部６１は、側壁８２３から縦溝８２へ向けて周方向に突出する壁部８４を有する。また、壁部８４は、壁部８４を径方向に貫通する貫通孔８４１を有する。図９に示すように、ガイド板８３が縦溝８２内に挿入されると、ガイド板８３の爪部８３２が径方向内側へ弾性変形して、壁部８４の下端を乗り越え貫通孔８４１にフックされる。爪部８３２が貫通孔８４１にフックされた状態では、爪部８３２の下面と貫通孔８４１の下面とが当接している。これにより、ガイド板８３の下側への抜けが抑制される。その結果、ガイド板８３が縦溝８２に強く固定される。なお、図６に示すように、爪部８３２は径方向内側の面に、径方向内側に突出する補強部８３４を有する。これにより、爪部８３２の強度および耐久性が向上する。なお、壁部８４は、筒状部６１から、周方向ではなく径方向に突出してもよい。
【００３６】
さらに、図９の変形例として、爪部８３２が壁部８４の軸方向上側の端部にフックされてもよい。この場合、壁部８４に貫通孔８４１を設ける必要がなく、設計が容易になり、生産性が向上する。
【００３７】
さらに、別の変形例として、爪部８３２は、ガイド板８３ではなく、筒状部６１に設けられてもよい。この場合、筒状部６１に設けられた爪部８３２が、ガイド板８３に向かって突出し、ガイド板８３にフックされることで、ガイド板８３が縦溝８２に強く固定される。さらに、爪部８３２は、筒状部６１から周方向に突出する壁部８４に設けられ、当該爪部８３２がガイド板８３にフックされてもよい。
【００３８】
＜１−４．突出部８３３の構造について＞
続いて、突出部８３３の構造について説明する。
【００３９】
図６に示すとおり、ガイド板８３は、下端部付近に突出部８３３を有する。突出部８３３の周方向の幅は、リード線引出口８１の引出口縦部８１１の周方向の幅よりも小さい。図７および図８に示すとおり、縦溝８２内にガイド板８３が挿入された際、突出部８３３は引出口縦部８１１に嵌まる。これにより、引出口縦部８１１の下端部付近の少なくとも一部が塞がれる。
【００４０】
ファンモータ１の製造時には、リード線６０がリード線引出口８１に通され下側に曲げられた後、縦溝８２内にガイド板８３が挿入される。その際、ガイド板の凸部８３１が凹部８２４に嵌まり、爪部８３２がフックされるとともに、突出部８３３が引出口縦部８１１の下端付近の少なくとも一部を塞ぐ。これにより、複数のリード線６０のリード線引出口８１を貫通している部分は、リード線引出口８１内において突出部８３３の上側に配置される。その結果、複数のリード線６０は、リード線引出口８１からの抜けおよび外れが抑制される。
【００４１】
図６〜図８に示すとおり、ガイド板８３が縦溝８２内に挿入された状態において、ガイド板８３の突出部８３３は、ガイド板８３の周方向の両端部のうち、モータ２の回転軸９に近い側の端部付近から径方向内側へ突出している。本実施形態では、リード線６０は引出口縦部８１１を通り、モータ２の回転軸９から遠ざかるように引出口横部８１２において周方向に横移動される。回転軸９から遠ざかるにしたがってフランジ部７３の径方向の幅は大きくなるため、リード線引出口８１と連通する縦溝８２の幅も大きく設けることができる。これにより、縦溝８２内におけるガイド板８３の径方向内側の、リード線６０を収容する部分の体積をより大きく確保することができる。
【００４２】
なお、ガイド板８３が挿入された状態において、複数のリード線６０の少なくとも一部は、リード線引出口８１を通り、縦溝８２内から下側に向かって延びる。その際、ガイド板８３によって、リード線６０は縦溝８２内においてガイド板８３よりも径方向内側に収容される。これにより、リード線６０の、ハウジング４よりも径方向外側への抜けおよび撓みが抑制される。その結果、ハウジング４の外側におけるリード線６０の接触等による損傷を抑制できる。
【００４３】
また、本実施形態では、縦溝８２内に挿入された状態において、ガイド板８３の径方向外側の面の少なくとも一部は、ハウジング４の径方向外側の空間に露出している。このため、作業者は、ガイド板８３の径方向外側の面を保持しながら、ガイド板８３を縦溝８２に挿入できる。これにより、ガイド板８３挿入時の作業性が向上する。また、ハウジング４の筒状部６１の径方向の厚みを確保しやすく、耐久性が向上する。
【００４４】
ただし、ガイド板８３の径方向外側の面は、ハウジング４に覆われてもよい。これにより、ハウジング４がガイド板８３を保持しやすくなり、ガイド板８３の脱落を抑制できる。
【００４５】
＜２．変形例＞
以上、本発明の例示的な実施形態について説明したが、本発明は上記の実施形態に限定されるものではない。
【００４６】
まず、リード線引出口８１および縦溝８２は、ハウジング４の排気側ではなく、または排気側に加えて、吸気側に設けられてもよい。例えば、モータ２の基板が吸気側に配置されている場合、リード線引出口８１および縦溝８２は、ハウジング４の吸気側に設けることが望ましい。
【００４７】
また、複数のリード線６０の少なくとも一部は、リード線引出口８１を通った後、縦溝８２内から吸気側に向かって延びてもよい。
【００４８】
また、ガイド板８３は縦溝８２に挿入される際、凹凸構造およびフック構造を用いて固定される代わりに、またはこれらに加えて、縦溝８２内において、圧入、接着、または溶着により固定されてもよい。また、この場合、ガイド板８３はハウジング４の下側からではなく、径方向外側、または周方向から縦溝８２内に挿入されてもよい。
【００４９】
図１０および図１１は、変形例に係るファンモータ１Ｂおよび１Ｃの部分下面図である。図１０に示すとおり、ガイド板８３Ｂが縦溝８２Ｂ内に挿入された状態において、ガイド板８３Ｂの突出部８３３Ｂは、ガイド板８３Ｂの周方向の中央部付近から径方向内側へ突出し、リード線引出口８１Ｂの下部に嵌まる構造であってもよい。また、図１１に示すとおり、ガイド板８３Ｃが縦溝８２Ｃ内に挿入された状態において、突出部８３３Ｃは、ガイド板８３Ｃの周方向の両端部のうち、回転軸９から離れた端部付近から径方向内側へ突出し、リード線引出口８１Ｃの下部に嵌まる構造であってもよい。
【００５０】
図１２は、変形例に係るファンモータ１Ｄの部分下面図である。図１２に示すように、ガイド板８３Ｄが周方向へ凹む凹部８２４Ｄを有し、フランジ部７３Ｄにおける縦溝８２Ｄの周囲の側壁８２３Ｄ下端に、周方向へ突出する凸部８３１Ｄを有していてもよい。そして、ガイド板８３Ｄが縦溝８２Ｄ内に挿入された状態において、凹部８２４Ｄに凸部８３１Ｄが嵌まる構造でもよい。この構造により、同様にガイド板８３Ｄの径方向の移動を抑制できる。
【００５１】
また、ファンモータの細部の形状については、本発明の各図に示された形状と相違していてもよい。また、上記の実施形態および変形例に登場した各要素を、矛盾が生じない範囲で、適宜に組み合わせてもよい。
【産業上の利用可能性】
【００５２】
本発明は、ファンモータに利用できる。
【符号の説明】
【００５３】
１，１Ｂ，１Ｄ  ファンモータ
２  モータ
３  インペラ
４  ハウジング
９  回転軸
１０  風洞
２１  静止部
２２  回転部
３１  カップ部
３２  羽根
３４  環状部材
５１  ステータコア
５２  コイル
５３  ロータ蓋部
５４  ロータ筒部
６０  リード線
６１，６１Ｄ  筒状部
６３  支持部
６５  回路基板
７３，７３Ｄ  フランジ部
８１，８１Ｂ，８１Ｃ  リード線引出口
８２，８２Ｂ，８２Ｃ，８２Ｄ  縦溝
８３，８３Ｂ，８３Ｃ，８３Ｄ  ガイド板
８４  壁部
２１１  ベース部
２１２  ステータ
２１３  軸受ホルダ
２１４  軸受部
２２１  シャフト
２２２  ロータホルダ
２２３  マグネット
８１１  引出口縦部
８１２  引出口横部
８２３，８２３Ｄ  側壁
８２４，８２４Ｄ  凹部
８３１，８３１Ｄ  凸部
８３２  爪部
８３３，８３３Ｂ，８３３Ｃ  突出部
８３４  補強部
８４１  貫通孔
【図１】
0006728948.tif 000002
【図２】
0006728948.tif 000003
【図３】
0006728948.tif 000004
【図４】
0006728948.tif 000005
【図５】
0006728948.tif 000006
【図６】
0006728948.tif 000007
【図７】
0006728948.tif 000008
【図８】
0006728948.tif 000009
【図９】
0006728948.tif 000010
【図１０】
0006728948.tif 000011
【図１１】
0006728948.tif 000012
【図１２】
0006728948.tif 000013